(57)【要約】【課題】計算機を用いた学習システムにより、学習プログラムの自習を行う自習者が、該学習プログラムを修了したことの認定する手段を与える。【解決手段】自習者の使用する計算機にデジタルカメラを具備させ、学習システムソフトウェアの制御により、学習中の自習者を乱数により決められた時刻に撮影し、撮影した映像情報を通信回線経由で学習システムのサーバへ転送して、日時や成績などと共に学習記録として蓄積し、学習プログラムの修了を認定する際に、該映像情報を確認し、認定書に該映像情報を含ませることで、第３者が身代わりとなって計算機を操作することにより修了の認証を得ようとする行為を防ぐ。【選択図】        図２
2004219504.tif 000002
【特許請求の範囲】
【請求項１】
画像や音声による教材情報を計算機上に出力し、計算機を操作する自習者が該教材情報を見聞きした内容に基づき計算機の入力装置を操作して自習を進める学習システムにおいて、デジタル化された映像情報をファイルとして出力するデジタルカメラを計算機に付属させ、前記教材情報の出力と自習者の入力とを制御する計算機上のソフトウェアから該デジタルカメラによる撮影とその映像情報ファイルの取得とを行えるようにし、前記自習が行われている際に、前記ソフトウェアから前記計算機の操作者である自習者を撮影して映像ファイルを蓄積し、蓄積された該映像ファイルを映像化して、撮影された自習者を第三者が確認することにより、特定の自習者が該学習システムを利用して自習を行ったことを証明することを特徴とした、計算機による学習システム。
【請求項２】
ネットワークに接続された計算機により請求項１記載の学習システムを実現する際に、自習者が使用する計算機とネットワークを介して通信が可能なサーバと呼ぶ計算機を、学習システムを提供する組織の設備として設け、自習者が前記計算機を使用して自習を行う際には該計算機と前記サーバとの通信を行い、請求項１記載の自習者を撮影した映像ファイルを、撮影直後にサーバに転送することを特徴とした、計算機による学習システム。
【請求項３】
自習者の映像を撮影する時刻を、乱数に基づく値により決めることを特徴とした、請求項１および２の、計算機による学習システム。
【請求項４】
前記デジタルカメラと前記計算機の画面との正面に鏡を設置し、デジタルカメラにて撮影する映像に計算機画面の部分が写るように、デジタルカメラ、計算機の画面、および、鏡の位置と方向とを調整し、自習者の映像の撮影時には計算機の画面に表示している画像イメージを映像情報とともにファイルに蓄積しておき、映像ファイルにより自習者を確認する際には、自習者が撮影された映像に写った計算機画面の部分が、撮影時に計算機の画面に表示していた画像イメージと一致しているかを確認出来るようにすることを特徴とした、請求項１もしくは２記載の、計算機による学習システム。
【請求項５】
自習者を確認するために撮影した映像情報を使い、自習者が学習プログラムの履修完了を証明する修了証書や資格の認定書に対して、自習者の映像写真を掲載すること、もしくは、自習者を確認するために撮影した映像情報を、電子的な記憶媒体に蓄積する前期修了書や前期認定書に含ませることを特徴とする、請求項１もしくは２記載の、計算機による学習システム。
【請求項６】
計算機で利用するソフトウェアの使用方法を習熟するための学習を、請求項１および２の学習システムで行うために、該ソフトウェアを販売する際の蓄積メディア、もしくは、ネットワークを介して配信されるファイル群に、請求項１および２の学習システムにて自習者の使用する計算機に必要なソフトウェアを併せて収録し、これを用いて請求項１および２の学習システムにて自習者を確認しながら学習を進めることで、自習者が該ソフトウェアの操作に習熟した認定を行うことを特徴とした、請求項１および２の計算機による学習システム。
【発明の詳細な説明】
【０００１】
【発明の属する技術分野】
本発明は、計算機、もしくは、ネットワークで接続された複数計算機上で動作するソフトウェアにより制御により、学習者が操作する計算機上に教材情報を表示し、学習者は該教材情報に基づいて計算機へ入力を行うことで自習を進める、計算機を利用した学習システムに関する。
【０００２】
【従来の技術】
ネットワークを利用した計算機システムによる遠隔教育は、一般的にｅラーニングと呼称され、様々な事例が報告されている。ｅラーニングは、その実施方法や使用する技術により様々な分類がなされているが、特に、インターネットまたはイントラネットを利用したウェブによる学習方法であるＷＢＴ（Ｗａｂ  Ｂａｓｅｄ  Ｔｒａｉｎｉｎｇ）は、計算機やインターネットの普及する中で注目を集めている。
【０００３】
ＷＢＴシステムの機能は、管理機能・教材作成機能・受講者サポート機能・マルチメディア対応機能のように分類される（「ｅラーニング白書  ２００１／２００２年版」、先進学習基盤協議会（ＡＬＩＣ）、第１版、ｐ１３１）。このうち、管理機能については、学習進捗管理機能・成績管理機能・受講者管理機能・アンケート集計機能が含まれる。
【０００４】
このうち、受講者管理機能については、ＩＥＥＥ  ＰＡＰＩ（Ｐｕｂｌｉｃ  ａｎｄ  Ｐｒｉｖａｔｅ  Ｉｎｆｏｒｍａｔｉｏｎ）や、ＩＭＳ  ＬＩＰ（Ｌｅａｎｅｒ  Ｉｎｆｏｒｍａｔｉｏｎ  Ｐａｃｋａｇｉｎｇ）などの規格の標準化が検討されており、個人情報としては、住所・氏名・電話番号などが想定されている。
【０００５】
また、ＷＢＴシステムを利用する際に本人であることを確認するための認証技術については、電子商取引の場合と同じく、通常はユーザＩＤとパスワードによる組み合わせを用いることが想定されている（「ｅラーニング白書  ２００１／２００２年版」、先進学習基盤協議会（ＡＬＩＣ）、第１版、ｐ１４８）。他にも、指紋による認証や、ＣＡ（Ｃｅｒｔｉｆｉｃａｔｅ  Ａｕｔｈｏｒｉｔｙ、認証局）という認証サービスを行う機関から発行された電子的な身分証明書により認証することも行われ始めている。このような認証技術は、不正アクセスの防止や情報漏洩の阻止、システムの安定性保持などを目的にして行われる。
【０００６】
【発明が解決しようとする課題】
従来の計算機を用いた学習システムには、次のような問題がある。
【０００７】
ＷＢＴにて学習を進める際、学習者が純粋に知識や技術などを身に付けることを望んでいる場合には、学習者が他の人に学習システムの利用を委ねることに対する対策は必要がない。しかしながら、学習カリキュラムの受講の修了により、資格が授与されたり修了の証書が発行されたりする場合には、資格認定や修了証書の取得を目的として、学習者が不正に他の人に学習システムの利用を委ねる事態が発生し得る。よって、このような身代わりの受講に対しての対策が必要となってくる。
【０００８】
本人が試験場に出向いて受験する試験により資格認定や修了証書が行われる場合、習得した知識・技術の確認とともに、本人であることが認証される。このような本人の試験場への出席最終試験に向けた学習システムの場合、学習システムの利用における身代わりを監視する必要は生じない。しかしながら、本人の試験場への出席を伴う最終試験を前提とした場合、次に述べる３つの問題点がある。
【０００９】
第一に、本人が試験場へ赴く手間は残り、遠隔にて完了する学習プログラムとはならない。物理的な距離による障壁を無くすことは、ネットワークを利用した学習システムの意義の中でも重要な要素であり、１回のみの最終試験としても、情報化社会としての要件に悖ることとなる。
【００１０】
第二に、試験のみによる資格認定は、本来的には望ましいものでは無い。試験では、学習カリキュラムで学ぶ知識・技術の全体から抽出したものについて、その能力を試すものであり、当然ながら出題内容による運不運が伴う。資格試験の受験条件として、定められた講義の受講時間や実務経験期間などを課す場合があるのを見ても、試験のみでなく学習プログラム全体での評価が望ましい。
【００１１】
第三の点は、学習カリキュラムにおける、出席の問題に関係する。例えば大学での講義では、最終試験を伴う時でも、出席回数は成績に加味される場合が多い。単純に試験での高得点により修了可能な学習プログラムでは、講義自体が形骸化しかねず、単純な資格試験に陥りかねない。
【００１２】
また、従来本人であることを確認するための認証技術は、悪意の第三者が本人に成りすますことを防ぐ技術であり、本人が身代わりを立てることを防ぐ技術ではない。例えば、ユーザＩＤとパスワードによる認証では、本人が身代わりとなる人にこれらを教えることで、簡単に身代わりが可能となり、これを見破る術は無い。指紋を用いた認証は、身代わりを監視する要件を満たすが、本人が学習する姿を確認する訳ではなく、間接的である。また、指紋の採取には専門の装置が必要であり、煩雑である。
【００１３】
本発明は、上記に示した問題点を解決し、ネットワークを用いた遠隔学習において、本人であることの記録を残す仕組みを導入することを目的とする。
【００１４】
【課題を解決するための手段】
上記目的を達成するために、本発明による学習システムでは、計算機を使用して自習を行う者を確認するために、学習が行なわれている際に自習者の姿を撮影して映像情報ファイルとして取得して蓄積するため、自習者が使用する計算機にデジタルカメラを付属させる。
【００１５】
また、自習者を撮影した映像情報ファイルを、学習システムを提供する組織の設備として設置されたサーバと呼ぶ計算機に撮影直後に転送するため、ネットワークを介した通信を行う。
【００１６】
また、学習にて使用する計算機の前に、自習者が映像情報の撮影時のみに限定して立つことを防ぐため、撮影する時刻を決めるために乱数を用いる。
【００１７】
また、自習者を確認するために撮影情報の取得が行われる際に、予め撮影しておいた映像情報をそれにすり替える不正を防ぐために、映像情報取得時のディスプレイ装置の画面表示を映像に写しこむよう、鏡を用いる。
【００１８】
また、学習プログラムの履修完了を証明する修了証書や資格の認定書に用いる本人確認のための映像情報として、自習者を確認するために撮影した映像情報を用いる。
【００１９】
また、計算機で利用するソフトウェアを販売する際に、自習者を確認するための映像情報ファイルの作成・蓄積・転送に必要なソフトウェアを併せて収録する。
【００２０】
【発明の実施例】
発明の実施の形態を、実装例にもとづき図面を参照して説明する。
【００２１】
図１に、本発明を適用する計算機による学習システムでの、学習プログラムの実施例を示す。なお、図１は、本発明に固有な内容を含んでおらず、学習システムの説明のために示したものである。図１中、学習プログラム（１００）は、３回の講義（１０１）から成っている。それぞれの講義では、解説（１１１）、演習（１１２）、および、試験（１１３）が行われる。自習にて使用する計算機の画面（１２０）では、解説を表示したウィンドウ（１３１）、演習の指示を表示して演習での入力を受け付けるウィンドウ（１３２）、試験の指示を表示して解答である入力を受け付けるウィンドウ（１３３）が、学習プログラムに応じて表示される。自習者は、これらの表示を見ながら、演習と試験とでは表示された指示に基づく入力を行い、学習を進める。図１の学習プログラムは一例であり、本発明は、学習プログラムの内容に拠らず、広範囲な学習システムに適用することが出来る。
【００２２】
図２に、本発明を適用する、自習者確認のために映像ファイルを蓄積する学習システムの構成を示す。図２中、自習者Ａ（２０１）と自習者Ｂ（２０２）とは、それぞれ、制御部（２１１）、記憶部（２１２）、ＩＯ制御部（２１３）、および、通信制御部（２１４）を備え、さらに、デジタルカメラ（２２１）、ディスプレイ（２２２）、キーボード（２２３）、および、スピーカ（２２４）が接続された計算機（２１０）を操作する。自習者の操作する計算機（２１０）は、それぞれ、ネットワーク（２３０）を介して、サーバ（２４０）に接続されている。サーバ（２４０）は、制御部（２４１）、記憶部（２５０）、ＩＯ制御部（２４３）、および、通信制御部（２４４）を備え、資格認定者（２０３）が使用する、ディスプレイ（２９１）とキーボード（２９３）に接続されている。サーバ（２４０）の記憶部（２５０）には、自習者Ａの学習記録（２６１）を保持する部分があり、ここには、自習者Ａが自習を行ったごとの内容を記録する記録ファイル（２７１）が、複数保持されている。記録ファイル（２７１）には、日時（２７２）に関する情報、自習時の成績（２７３）に関する情報などに加えて、自習者の映像情報（２７４）が記録されている。自習者Ｂの学習記録（２６２）を保持する部分にも同様に、自習者Ｂが自習を行ったごとの内容を記録する記録ファイル（２８１）に、自習者の映像情報（２８４）が記録されている。
【００２３】
自習者Ａ（２０１）は、計算機（２１０）に接続されたディスプレイ（２２２）とスピーカ（２２４）とから出力される教材を用い、キーボード（２２３）を操作しながら、図１に示したような学習プログラムに従って自習を進める。その際、自習者の使用する計算機（２１０）の制御部（２１１）上にて動作する学習用のソフトウェアは、通信制御部（２１４）からネットワーク（２３０）を介して、サーバ（２４０）上の制御部（２４１）上で動作する学習用のソフトウェアとの通信コネクションを確立する。自習中、サーバ側のソフトウェアから通信による指示を受けて、制御部（２１１）上にて動作する学習用のソフトウェアは、ＩＯ制御部（２１３）を介してデジタルカメラ（２２１）を起動し、自習者Ａ（２０１）の映像を撮影させる。撮影された映像情報を含むファイルは、制御部（２１１）上の学習用ソフトウェアの制御により、記憶部（２１２）に転送され、さらに通信制御部（２１４）を介してサーバへ転送される。
【００２４】
サーバ（２４０）では、制御部（２４１）上で動作する学習用のソフトウェアの制御により、通信制御部（２４４）を介して転送された自習者Ａの映像情報を受信し、記憶部（２５０）に蓄積する。蓄積の際、映像情報（２７４）は、記憶部内（２５０）の自習者Ａの学習記録（２６１）として、その機会ごとの自習者Ａの記録ファイル（２７１）に、日時（２７２）や成績（２７３）などとともに、分類されて蓄積される。
【００２５】
自習者Ａが履修を終了して、資格の認定を希望したときは、資格の認定を行う者（２０３）が、サーバ（２４０）上の自習者Ａの学習記録（２６１）を参照して、合否を決定する。その際、資格認定者（２０３）は、サーバ（２０４）に接続されたキーボード（２９３）を操作して、学習記録（２６１）内の自習者Ａの映像情報（２７４）をディスプレイ（２９１）に表示させて、学習を行った者が自習者Ａであることを確認する。自習者Ａの映像情報（２７４）を含む学習記録（２６１）は、制御部（２４１）上で動作する学習用のソフトウェアの制御により、記録部（２５０）からＩＯ制御部（２４３）を経て、ディスプレイ（２９１）へ表示される。
【００２６】
資格認定者（２０３）が映像情報により自習者Ａを確認するには、自習者Ａの写真を予め登録しておき、資格認定者が参照出来るようにしておけば良い。もしくは、資格認定の証書において、自習者Ａの映像情報（２７４）を添付することにより、写真の登録を省略することが可能である。
【００２７】
図３に、本発明を適用する、自習者確認のための映像ファイルを蓄積する学習システムのソフトウェア構成を示す。図３中、自習者（３０１）、資格認定者（３０３）、計算機（３１０）、制御部（３１１）、記憶部（３１２）、ＩＯ制御部（３１３）、通信制御部（３１４）、デジタルカメラ（３２１）、ディスプレイ（３２２）、キーボード（３２３）、スピーカ（３２４）、および、ネットワーク（３３０）は、図２中の、自習者（２０１）、資格認定者（２０３）、計算機（２１０）、制御部（２１１）、記憶部（２１２）、ＩＯ制御部（２１３）、通信制御部（２１４）、デジタルカメラ（２２１）、ディスプレイ（２２２）、キーボード（２２３）、スピーカ（２２４）、および、ネットワーク（２３０）に、それぞれ対応する。また、図３中、サーバ（３４０）、制御部（３４１）、記憶部（３４２）、ＩＯ制御部（３４３）、通信制御部（３４４）、ディスプレイ（３９１）、および、キーボード（３９３）は、図２中の、サーバ（２４０）、制御部（２４１）、記憶部（２５０）、ＩＯ制御部（２４３）、通信制御部（２４４）、ディスプレイ（２９１）、および、キーボード（２９３）に、それぞれ対応する。
【００２８】
自習者側の計算機（３１０）でのソフトウェア構成は、制御部（３１１）内に示されている。講義管理（３６０）は、講義の進行全般を管理するソフトウェアである。解説シナリオ（３６１）、演習シナリオ（３６２）、試験シナリオ（３６３）は、講義管理（３６０）により起動される。これらの学習シナリオのソフトウェアがシナリオエンジン（３６４）により解釈・実行されることにより、ＯＳ（３６８）を介して、ディスプレイ（３２１）、キーボード（３２３）、スピーカ（３２４）に入出力が行われ、自習者（３０１）は学習を進める。本実施例では、学習シナリオのソフトウェアは、講義ごとにサーバ（３４０）側からネットワーク（３３０）を介してダウンロードすることとする。また、学習シナリオのソフトウェアすべてを計算機（３１０）内に具備しておく方法もある。
【００２９】
受講者サポート（３６５）は、自習者による電子メールを用いた質疑応答や、学習スケジュールの確認等の機能を果たす。通信管理（３６７）は、サーバ（３４０）とのアプリケーション・プロトコルに基づく通信機能を果たす。
【００３０】
以上の各ソフトウェアは従来の遠隔学習システムの機能と同様の役割を果たす。本発明において固有の機能は、主に出席監視（３６６）が担う。出席管理（３６６）は、講義管理（３６０）から起動され、ＯＳ（３６８）を介してデジタルカメラ（３２１）を制御し、学習中の自習者（３０１）の映像を撮影し、該映像情報は、サーバ（３４０）へ転送される。
【００３１】
サーバ（３４０）側でのソフトウェア構成は、制御部（３４１）内に示されている。講座管理（３７０）は、学習プログラムの進行全般を管理するソフトウェアである。シナリオ管理（３７１）は、記憶部（３４２）内に蓄積された学習シナリオを管理し、これらの学習シナリオは、自習者側の計算機（３１０）へダウンロードされる。
【００３２】
講師サポート（３７２）は、自習者側の計算機（３１０）の自習者サポート機能（３６５）に対応する。通信管理（３７７）は、自習者側の計算機（３１０）とのアプリケーション・プロトコルに基づく通信機能を果たす。
【００３３】
教務データ管理（３７６）は、図２中２６１、２６２に示した自習者の学習記録を管理する。蓄積される自習記録は、進捗管理（３７３）、成績管理（３７４）などにより作成される。本発明において固有の機能を担う出席管理（３７５）も、教務データ管理（３７６）上で機能し、自習者側の計算機（３１０）から送られてきた映像情報ファイルを管理する。
【００３４】
図４に、本発明を適用する学習システムでの、自習者確認のための映像ファイル蓄積処理の概要を示す。図４では、図２、図３と同様に、自習者側の環境（４０１）、および、サーバ側の計算機環境（４０２）が、ネットワーク（４０３）を介して接続されている場合を想定している。以下、自習者側の計算機環境（４０１）の中の自習者（４１１）と計算機（４１２）、および、サーバ側の計算機環境（４０２）の中のサーバ（４１３）とサーバ内の記憶部（４１４）の４つの相互の動作について説明する。
【００３５】
自習者が自習ソフトウェアを起動（４２１）すると、これを受けた計算機では、サーバとの通信を開始し、自習開始を通知（４３１）する。サーバでは、記憶部から学習記録を所得（４４１）し、これに基づいて決定した学習シナリオを取得（４４２）して、自習者側の計算機に該学習シナリオを配布（４３２）する。この際、乱数を発生させて、その値に基づく時間間隔をおくタイマを起動しておく。
【００３６】
配布された学習シナリオによる自習（４２３）に先立って、自習者側の計算機では自習者の映像を撮影（４２２）し、サーバへ該自習者映像を転送（４３３）する。
【００３７】
サーバでは、乱数値によるタイマ起動（４４３）により、自習者側の計算機に対して、映像撮影を指示（４３４）する。該指示を受けた計算機では、自習者映像を撮影（４２４）し、サーバへ該自習者映像を転送（４３５）する。
【００３８】
自習者が自習を終了（４２５）した旨を計算機に入力すると、自習者側の計算機よりサーバ側へ、自習終了が通知（４３６）される。サーバでは、再度、映像撮影を指示（４３７）し、計算機では自習者映像を撮影（４２６）して、サーバへ自習者映像を転送（４３８）する。サーバでは、自習者映像情報を含む学習記録を更新（４４４）して処理を終了する。
【００３９】
図５に、本発明を適用する学習システムでの、自習者確認のための映像に、ディスプレイ画面を写しこむ方法を示す。図５では、デジタルカメラ（５０４）とディスプレイ（５０３）を備えた計算機（５０２）を利用して、自習者（５０１）が自習を行う状況にて、自習者の背後に鏡（５０５）が設置されている。
【００４０】
自習者確認のための映像を撮影する際のディスプレイには、５１１に示したような画面が表示されている。該表示画面中、自習者の撮影映像に写り込ませて映像の確認時に用いるための表示として、撮影キーウィンドウ（５１２）が設けられている。
【００４１】
５１１の画面をディスプレイ（５０３）に表示しながら、デジタルカメラ（５０４）で自習者を撮影した映像を、５２１に示す。該撮影映像（５２１）中には、自習者の像（５２５）とともに、設置した鏡（５０５）に写った鏡像（５２２）が写りこんでいる。さらにその鏡像（５２２）の中には、５１１の表示画面に対応するディスプレイ画面の像（５２３）が、さらにその中には、撮影キーウィンドウ（５１２）に対応する撮影キーウィンドウの像（５２４）が写りこむ。
【００４２】
この撮影映像（５２１）は、サーバ（５３２）へ転送され、記憶部（５３３）内の自習者の学習記録（５３４）の一部として、記録ファイル（５３５）内に蓄積される。その際、記録ファイル（５３５）には、日時（５３６）、成績（５３７）、該撮影映像（５３９）とともに、撮影キー（５３８）が記録される。記録ファイルを参照して、自習者本人を確認する際には、撮影映像（５３９）に、撮影キー（５３８）に対応した映像が写り込んでいることを確認する。
【００４３】
図５の説明では、撮影キーとして乱数による文字を利用することとしたが、これは図形や色としても良い。また、図５の撮影映像（５２１）内の鏡像（５２２）には、本来反転された像が写るはずであるが、図の了解性を考慮して、反転させない像を記した。
【００４４】
図６に、本発明を適用する学習システムでの、認定書に自習者の映像情報を含ませる方法を示す。図６中、サーバ側の計算機（６４０）の記憶部（６５０）には、通信制御部（６４４）を通じて自習者側の計算機から受信したデータに基づき蓄積された、自習者Ａの学習記録（６６１）が蓄積されている。
【００４５】
資格認定者（６０３）が認定書の発行を行う際、ディスプレイ装置（６９１）とキーボード（６９３）とを操作することで、制御部（６４１）で動作するソフトウェアを利用する。該ソフトウェアの動作により、自習者Ａの学習記録（６６１）内の記録ファイル（６７１）の内容が調べられる。記録ファイル（６７１）中の日時（６７２）や成績（６７３）が、認定書の発行に値するか否かが調べられ、認定することとなった場合、ＩＯ制御部（６４３）を通じてプリンタ（６１０）より認定書（６２０）が印刷される。この際、自習者Ａの学習記録内の映像情報（６７４）に基づいた映像写真（６２１）が認定書（６２０）内に印刷される。
【００４６】
電子的なファイルとして認定書を発行する場合にも、図６に示した方法と同様に、自習者の学習記録内の映像情報を利用して、該ファイル内に映像情報を含ませる。
【００４７】
図７に、本発明を適用する学習システムでの、販売するソフトウェアを収めた蓄積メディアに、請求項１および２の学習システムにて使用するソフトウェアを収録する方法の概要を示す。図７中、蓄積メディア（７０１）には、文書作成用ソフトウェア“ｘｘｘ”（７０２）に加えて、文書作成用ソフトウェア“ｘｘｘ”の学習システムのソフトウェア（７０３）が収録されている。蓄積メディアに収録されたこれら２つのソフトウェアは、一緒に販売される。これを購入した利用者は、該蓄積メディアを用いて、文書作成用ソフトウェア“ｘｘｘ”、および、その学習システムのソフトウェアを計算機へのインストールすることにより、計算機の画面（７１１）上のフォルダ・ウィンドウ（７１２）上に、文書作成用ソフトウェア“ｘｘｘ”起動アイコン（７１３）とその学習システム起動アイコン（７１４）が利用できるようになる。学習システム起動アイコン（７１４）をダブルクリックすることにより、図１に示したような学習を、図２に示した構成にて行えるようになる。
【発明の効果】
本発明は、以上説明したように構成されているので、以下に記載されるような効果がある。
【００４８】
計算機を用いた学習システムにおいて、デジタルカメラにより撮影した学習者の映像情報を蓄積して該映像を確認することにより、学習システムを利用して学習を行なった者を同定して、該学習者に学習プログラム修了の証書を発行することが出来る。
【００４９】
また、デジタルカメラにより撮影した学習者の映像情報を、ネットワークを介して学習システムを提供する組織内のサーバ計算機に転送することにより、映像情報の改ざんの恐れを軽減することが出来る。
【００５０】
また、乱数に基づく値により決めた時刻に自習者の映像を撮影することにより、計算機を用いた学習は身代わりの者が行い、別の者が撮影時刻に合わせて現れることで映像に映るようにする不正が行われる恐れを軽減することが出来る。
【００５１】
また、自習者を撮影する映像に、学習に利用している計算機の画面の一部を、鏡を用いて写りこませ、映像情報にて自習者を確認する際には、写りこんだ計算機画面の一部の内容を確認することにより、自習者を撮影した映像情報を予め準備した映像情報に差し替える不正が行われる恐れを軽減することが出来る。
【００５２】
また、自習者が学習プログラムを用いて学習中に撮影した映像情報を、該学習プログラムの修了認定書や資格認定書に掲載することにより、該学習プログラムの提供者による学習者の認証が不要になる。
【図面の簡単な説明】
【図１】学習プログラムの実施例である。
【図２】自習者確認のために映像ファイルを蓄積する学習システムの構成である。
【図３】自習者確認のために映像ファイルを蓄積する学習システムのソフトウェア構成である。
【図４】自習者確認のための映像ファイルの蓄積処理の概要である。
【図５】自習者確認のための映像に、ディスプレイ画面を写しこむ方法を表す図である。
【図６】認定書に自習者の映像情報を含ませる方法を現す図である。
【図７】販売するソフトウェアを収めた蓄積メディアに、該ソフトウェアの使用方法を学習するためのソフトウェアを収録する方法の概要である。
【符号の説明】
１００  講座プログラム
１０１  講義プログラム
１１１  解説プログラム
１１２  演習プログラム
１１３  試験プログラム
１２０  自習にて使用する計算機の画面
１３１  解説を行うウィンドウ
１３２  演習を行うウィンドウ
１３３  試験を行うウィンドウ
２０１  自習者Ａ
２０２  自習者Ｂ
２１０  計算機
２１１  制御部
２１２  記憶部
２１３  ＩＯ制御部
２１４  通信制御部
２２１  デジタルカメラ
２２２  ディスプレイ
２２３  キーボード
２２４  スピーカ
２３０  ネットワーク
２４０  サーバ
２４１  制御部
２４３  ＩＯ制御部
２４４  通信制御部
２５０  記憶部
２６１  自習者Ａの学習記録
２６２  自習者Ｂの学習記録
２７１  記録ファイル
２７２  日時
２７３  成績
２７４  自習者Ａの映像情報
２８１  記録ファイル
２８４  自習者Ｂの映像情報
３０１  自習者
３０３  資格認定者
３１０  計算機
３１１  制御部
３１２  記憶部
３１３  ＩＯ制御部
３１４  通信制御部
３２１  デジタルカメラ
３２２  ディスプレイ
３２３  キーボード
３２４  スピーカ
３３０  ネットワーク
３４０  サーバ
３４１  制御部
３４２  記憶部
３４３  ＩＯ制御部
３４４  通信制御部
３６０  講座管理ソフトウェア
３６１  解説シナリオ
３６２  演習シナリオ
３６３  試験シナリオ
３６４  シナリオエンジン
３６５  受講者サポートソフトウェア
３６６  出席管理ソフトウェア
３６７  通信管理ソフトウェア
３６８  ＯＳ
３７０  講座管理ソフトウェア
３７１  シナリオ管理ソフトウェア
３７２  講師サポートソフトウェア
３７３  進捗管理ソフトウェア
３７４  成績管理ソフトウェア
３７５  出席管理ソフトウェア
３７６  教務データ管理ソフトウェア
３７７  通信管理ソフトウェア
３７８  ＯＳ
３９１  ディスプレイ
３９３  キーボード
４０１  自習者側の計算機環境
４０２  サーバ側の計算機環境
４０３  ネットワーク
４１１  自習者
４１２  計算機
４１３  サーバ
４１４  サーバ内の記憶部
４２１〜４２６、４３１〜４３８、４４１〜４４４  シーケンス上でのイベント５０１  自習者
５０２  計算機
５０３  ディスプレイ
５０４  デジタルカメラ
５０５  鏡
５１１  ディスプレイ上の画面
５１２  撮影キーウィンドウ
５２１  撮影映像
５２２  鏡像
５２３  表示画面に対応するディスプレイ画面の像
５２４  撮影キーウィンドウの像
５３２  サーバ
５３３  記憶部
５３４  自習者の学習記録
５３５  記録ファイル
５３６  日時
５３７  成績
５３８  撮影キー
５３９  映像情報
６０３  資格認定者
６１０  プリンタ
６２０  認定書
６２１  自習者の映像
６４０  サーバ
６４１  制御部
６４３  ＩＯ制御部
６４４  通信制御部
６５０  サーバの記憶部
６６１  自習者Ａの学習記録
６７１  記録ファイル
６７２  日時
６７３  成績
６７４  映像情報
６９１  ディスプレイ
６９３  キーボード
７０１  蓄積メディア
７０２  文書作成用ソフトウェア
７０３  学習システムソフトウェア
７１１  計算機の画面
７１２  フォルダ・ウィンドウ
７１３  文書作成ソフトウェア起動アイコン
７１４  学習システム起動アイコン
【図１】
2004219504.tif 000003
【図２】
2004219504.tif 000004
【図３】
2004219504.tif 000005
【図４】
2004219504.tif 000006
【図５】
2004219504.tif 000007
【図６】
2004219504.tif 000008
【図７】
2004219504.tif 000009